【手続補正書】
【提出日】平成16年9月28日(2004.9.28)
【手続補正１】
【補正対象書類名】明細書
【補正対象項目名】特許請求の範囲
【補正方法】変更
【補正の内容】
【特許請求の範囲】
【請求項１】
撮影対象物が載置される載置台と、
前記撮影対象物の像を撮影する撮像部と、
前記撮影対象物からの光を反射して前記撮像部に導く反射部材と、
前記撮像部および前記反射部材を収納可能に保持する可動保持部材とを有することを特徴とする撮像装置。
【請求項２】
前記可動保持部材は前記載置台に対して展開および収納が可能であることを特徴とする請求項１に記載の撮像装置。
【請求項３】
前記可動保持部材は前記載置台の載置面に対して略平行となるように収納可能であり、
この可動保持部材が収納された状態において、前記可動保持部材に対して収納された前記反射部材が、前記載置台の載置面に対して略平行となることを特徴とする請求項２に記載の撮像装置。
【請求項４】
前記可動保持部材が前記載置台に対して収納された状態において、前記可動保持部材に対して収納された前記撮像部の光軸方向が、前記載置台の載置面に対して略平行となることを特徴とする請求項２に記載の撮像装置。
【請求項５】
前記可動保持部材、前記撮像部および前記反射部材が、互いに略平行でかつ前記載置台の載置面に対して略平行な軸を中心に回動可能であることを特徴とする請求項１又は２に記載の撮像装置。
【請求項６】
前記載置台に対し収納された前記可動保持部材に対してそれぞれ収納された前記撮像部と前記反射部材とが、これらの少なくとも一部において前記載置台の厚み方向に重なり合うことを特徴とする請求項２に記載の撮像装置。
【請求項７】
前記可動保持部材が、前記載置台の上面外周部における少なくとも三方を覆うように前記載置台に対して収納されることを特徴とする請求項１又は２に記載の撮像装置。
【請求項８】
前記撮像部に、この撮像部が展開した状態において前記撮影対象物を照明可能な照明部が設けられていることを特徴とする請求項１に記載の撮像装置。
【請求項９】
前記照明部は、前記載置台に入射してこの載置台で反射した後、前記反射部材で反射して前記撮像部に導かれる光束のうち最も外側の光線よりも外側から前記撮影対象物を照明することを特徴とする請求項８に記載の撮像装置。
【請求項１０】
前記載置台に、この撮像装置の動作を指示するための操作部材が設けられており、
この操作部材は、前記載置台に対して収納状態にある前記可動保持部材又は前記反射部材により覆われることを特徴とする請求項２に記載の撮像装置。
【手続補正２】
【補正対象書類名】明細書
【補正対象項目名】０００１
【補正方法】変更
【補正の内容】
【０００１】
【発明の属する技術分野】
本発明は、載置台上に置かれた撮影対象物を撮影する撮像装置に関するものである。
【手続補正３】
【補正対象書類名】明細書
【補正対象項目名】００２７
【補正方法】変更
【補正の内容】
【００２７】
【課題を解決するための手段】
上記の目的を達成するために、本発明の撮像装置は、撮影対象物が載置される載置台と、撮影対象物の像を撮影する撮像部と、撮影対象物からの光を反射して撮像部に導く反射部材と、撮像部および反射部材を収納可能に保持する可動保持部材とを有する。
【手続補正４】
【補正対象書類名】明細書
【補正対象項目名】００２８
【補正方法】変更
【補正の内容】
【００２８】
すなわち、撮影が可能な状態から、撮像部および反射部材を可動保持部材に対して収納できるようにしている。これにより、撮像部および反射部材を保護するための専用の部品を必要とすることなく、保護することができる。また、可動保持部材を載置台に対して展開および収納が可能に構成することで、可動保持部材が載置台に対して収納され、撮像装置全体を一体化した収納状態にでき、撮像装置の収納状態での強度（耐衝撃性等）およびコンパクト性を確保することが可能となる。
【手続補正５】
【補正対象書類名】明細書
【補正対象項目名】００２９
【補正方法】変更
【補正の内容】
【００２９】
また、撮影対象物からの光を反射して撮像部に導く反射部材を設けることにより、撮像部の位置を載置台に近づけることが可能となるとともに最小限の数の反射部材のみ用いるため、撮影時にも収納時にもコンパクトな構成の撮像装置を実現することが可能となる。
【手続補正６】
【補正対象書類名】明細書
【補正対象項目名】００４８
【補正方法】変更
【補正の内容】
【００４８】
以上のように構成される書画カメラは、図１および図４に示すように、原稿台ユニット１に対して可動保持ユニット５を上方に展開し、撮像ユニット７を可動保持ユニット５に対して後方に展開し、さらにミラーユニット１１を可動保持ユニット５に対して前方に展開することにより、原稿載置面２に載置されて原稿照明ユニット９により照明された原稿２ａからの光を反射鏡１４を介し、さらに可動保持ユニット５の凹部５ｂを通して撮影レンズ８に導く状態、すなわち撮影状態となる。
【手続補正７】
【補正対象書類名】明細書
【補正対象項目名】００７４
【補正方法】変更
【補正の内容】
【００７４】
また、原稿台ユニット１の上面の外周における三方、すなわち前方、左方および右方は、可動保持ユニット５によって覆われるため、収納時に原稿載置面２に物がぶつかったり汚れがついたりしにくい構造とすることができる。
【手続補正８】
【補正対象書類名】明細書
【補正対象項目名】００９４
【補正方法】変更
【補正の内容】
【００９４】
以上のように構成される書画カメラは、図８および図１１に示すように、原稿台ユニット１に対して可動保持ユニット５を上方に展開し、撮像ユニット７を可動保持ユニット５に対して後方に展開し、さらにミラーユニット１１を可動保持ユニット５に対して前方に展開することにより、原稿載置面２に載置されて原稿照明ユニット２２により照明された原稿２ａからの光を反射鏡１４を介し、さらに可動保持ユニット５の凹部５ｂを通して撮影レンズ８に導く状態、すなわち撮影状態となる。
【手続補正９】
【補正対象書類名】明細書
【補正対象項目名】０１２０
【補正方法】変更
【補正の内容】
【０１２０】
また、原稿台ユニット１の上面の外周における三方、すなわち前方、左方および右方は、可動保持ユニット５によって覆われるため、収納時に原稿載置面２に物がぶつかったり汚れがついたりしにくい構造とすることができる。
【手続補正１０】
【補正対象書類名】明細書
【補正対象項目名】０１２９
【補正方法】変更
【補正の内容】
【０１２９】
【発明の効果】
以上説明したように、本発明によれば、撮影が可能な状態から、撮像部および反射部材を可動保持部材に対して収納することができる。したがって、撮像部および反射部材を保護するための専用の部品を必要とすることなく、保護することができる。また、可動保持部材を載置台に対して展開および収納が可能に構成することで、可動保持部材が載置台に対して収納され、撮像装置全体を一体化した収納状態にでき、撮像装置の収納状態での強度（耐衝撃性等）およびコンパクト性を確保することができる。
【手続補正１１】
【補正対象書類名】明細書
【補正対象項目名】０１３０
【補正方法】変更
【補正の内容】
【０１３０】
しかも、撮影対象物からの光を反射して撮像部に導く反射部材を設けることにより、撮像部の位置を載置台に近づけることが可能となるとともに最小限の数の反射部材のみ用いるため、収納時のみならず撮影時にもコンパクトな構成の撮像装置を実現することができる。